(57)【特許請求の範囲】
【請求項１】
容器口筒部に打栓により嵌着される中栓と、該中栓に取着されるキャップとを備えた液注出容器において、
中栓は、外筒と肩壁、内筒とからなる嵌着筒とキャップ取付筒とを具備し、
外筒の所定個所には、下端に薄肉の連結部を残して肩壁下面に達するスリットが穿設され、肩壁下面には、薄肉を残したほぼＶ字形の切断溝が、スリットに対応する位置から外筒内周に沿って、所定の角度範囲に穿設されており、
キャップは、中栓の取付筒に取着される側筒壁と、外筒外周に締着される筒状カバーとを具備し、
筒状カバーの上端と側周壁の下端とが、複数の切断可能な連結片によって連結されていることを特徴とする液注出容器の中栓とキャップ。
【請求項２】
中栓の外筒下端は、キャップの筒状カバー下端より延び、該外筒下端部に、筒状カバー外周面にほぼ一致する周面を有するフランジが設けられ、該フランジに、連結部に接してフランジ周面を外周面とする摘みを形成したことを特徴とする請求項１記載の液注出容器の中栓とキャップ。
【発明の詳細な説明】
【０００１】
【発明の属する技術分野】
本発明は、液注出容器の中栓およびキャップ、とくに容器口筒部に打栓により嵌着される中栓と、該中栓の嵌着筒の外筒に締着され、外筒を保護する筒状カバーを備えたキャップに関する。
【０００２】
【従来の技術】
容器の口部に打栓により嵌着された中栓あるいはキャップ基体を、引き裂き用タブを一定方向に引張り、引き裂き線を切り裂いて容易に抜栓するようにするとともに、店頭販売時、または使用中に誤って引き裂き用タブを引張り、破断用弱化部を切り開くことを防止するようにした容器の中栓またはキャップは、従来より公知である（例えば特開平１１−５９７０９号公報、特開平１１−１６５７５６号公報参照）。
【０００３】
【発明が解決しようとする課題】
しかしながら、この種のキャップを取着した液注出容器は、過剰包装とならないようキャップを被う密封包装をしないで、そのまま、店頭に並べて販売されるが、その際に、商品を手に取ってキャップを開蓋し、故意または過失によって摘み（タブ）を掴んで引き出し、外筒の引き裂き線を切り裂くような不正行為が行われる可能性もあった。
【０００４】
これに対して、特開平１１−５９７０９号公報記載の中栓（中蓋栓Ａ）は、キャップ（冠蓋Ｂ）を被冠することによってタブを防護しょうとするものであるから、キッャプ（冠蓋Ｂ）を開蓋してタブを引張り出すという店頭販売時の故意または過失による不正行為を防ぐことはできないという問題があった。
また、特開平１１−１６５７５６号公報記載の中栓も、キャップ（上蓋Ｂ）を被せることによって引き裂き用タブ（３１）を防護しようとするものであるから、キャップ（上蓋Ｂ）を取り外すと、引き裂き用タブ（３１）が中栓の表面にでるので、店頭販売時の故意または過失による不正行為を防ぐことはできないという問題があった。
【０００５】
したがって、両者のいずれも店頭販売時における不正行為を防ぐことができず、また、不正行為が行われても、その後にキャップ（冠蓋、上蓋）を被せておけば、不正行為の有無を外からは判別できないという問題点があった。
【０００６】
本発明は、上記の問題点を解決し、液注出容器の廃棄時において、中栓の抜栓をさらに容易にできるよう改善するとともに、容器の店頭販売中における不正行為の防止、その有無の判別が容易にでき、さらに、使用中において、誤った行為による引き裂き線の切裂きによる中栓嵌着筒の嵌合のゆるみを防止することを課題として、液注出容器における改善された中栓と、中栓の嵌着筒に嵌合され、嵌着筒の外筒を保護する筒状カバーとを備えたキャップを提供することを目的とする。
【０００７】
【課題を解決するための手段】
本発明は、上記の課題を解決するため、液注出容器の中栓とキャップとして、容器口筒部に打栓により嵌着される中栓と、該中栓に取着されるキャップとを備えた液注出容器において、中栓は、外筒と肩壁、内筒とからなる嵌着筒とキャップ取付筒とを具備し、外筒の所定個所には、下端に薄肉の連結部を残して肩壁下面に達するスリットが穿設され、肩壁下面には、薄肉を残したほぼＶ字形の切断溝が、スリットに対応する位置から外筒内周に沿って、所定の角度範囲に穿設されており、  キャップは、中栓の取付筒に取着される側筒壁と、外筒外周に締着される筒状カバーとを具備し、筒状カバーの上端と側周壁の下端とが、複数の切断可能な連結片によって連結されていることを特徴とする構成を採用する。
【０００８】
上記中栓の１実施例として、上記構成に付加して、中栓の外筒下端は、キャップの筒状カバー下端より延び、該外筒下端部に、筒状カバー外周面にほぼ一致する周面を有するフランジが設けられ、該フランジに、連結部に接してフランジ周面を外周面とする摘みを形成したことを特徴とする構成を採用する。
【０００９】
【発明の実施の形態】
次に、本発明の実施形態について、図面を参照して説明する。
図１において、Ａは容器口筒部、Ｂは中栓、Ｃはキャップである。
容器は、ガラスまたは合成樹脂で成形され、中栓ＢとキャップＣは、いずれも合成樹脂で成形され、容器と素材樹脂を異にしている。
容器口筒部Ａは、係合突条１と保持突条２とを備えている。
【００１０】
図１，２に示すように、中栓Ｂは、容器口筒部Ａに嵌着する嵌着筒３と、注出筒４を連設したキャツプの取付筒となる螺着筒５とを具えている。
嵌着筒３は、外筒６と内筒７および肩壁８とからなり、螺着筒５は、内筒７から上方に延びるよう連設されている。
外筒６の下端部内周には、容器口筒部Ａ外周に設けられた係合突条１に係合する係合突条９が突設されており、内筒７の外周面上方には、容器口筒部Ａ内周との間に締め代を形成する膨出部１０が設けられている。
【００１１】
中栓嵌着時には、内筒７の膨出部１０が容器口筒部Ａ内周に嵌合され、外筒６の係合突条９が係合突条１の下側に係合して、中栓Ｂを容器口筒部Ａに嵌着する。
そして、内筒７とともに外筒６内周が係合突条１外周に一定の締め代をもって容器口筒部Ａに締着し、肩壁８が容器口筒部Ａの上端面に密着することによって容器内部を密封するようにしている。
【００１２】
図２〜４に示すように、外筒６の下端外周には、フランジ１１が設けられており、外筒６の所定位置には、フランジ１１の部分に薄肉の連結部１２を残して肩壁８に達するスリット１３が穿設されている。
肩壁８の下面には、図２（ａ），３に示すように、薄肉を残したほぼＶ字形の切断溝１４が、スリット１３に対応する位置から外筒６内周に沿って、少なくとも１８０度を越える角度範囲に穿設されている。
【００１３】
フランジ１１の切断溝１４側には、連結部１２に近接して摘み１５が設けられている。
摘み１５は、連結部１２より一定の間隔をおいた位置に切込み１６が入れられ、該切込み１６に連続して連結部１２方向に外筒６外周に沿って、連結部１２との間に一定の肉厚を残して切込み１７が入れられ、フランジ１１の外周部より引き出し可能として形成されている。
【００１４】
螺着筒５の外周には、ねじ１８が螺設されており、上端には、内方に延びる注出筒４の支持壁１９が連設されている。
支持壁１９の下方には、嵌着筒３の内筒７および螺着筒５の内周と注出筒４外周とを連結する複数の補強リブ２０が配設され、注出筒４を安定的に支持するようにしている。
【００１５】
注出筒４は、その上端周縁には、外方に拡開され湾曲する注出口唇部２１が形成され、下端には、隔壁２２が連設されている。
隔壁２２の裏面には、図２，３に示すように、所定の形状に沿って、薄肉を残してＶ字状の切断溝２３が設けられ、その内側の隔壁２２は除去部２４となっており、除去部２４の上面には、連結片２５を介して指掛けリング２６が設けられている。
【００１６】
図５に示すように、キャップＣは、頂壁３０と側筒壁３１、側筒壁３１の下方に設けられた筒状カバー３２とを具えている。
頂壁３０の下面には、密封リング３３が垂設されており、側筒壁３１の内周には、中栓Ｂの螺着筒５のねじ１８に螺合するネジ３４が螺設され、側筒壁３１の下端には、フランジ３５が設けられている。
筒状カバー３２の上端には、内方に突出する薄肉の環状板３６が設けられており、フランジ３５の周縁と、複数の薄肉の連結片３７によって連結されている。
【００１７】
次に本実施形態注出容器の使用態様と作用効果について説明する。
内容液の詰め込みにあたって、内容液を容器に充填し、次いでキャップＣを被嵌した中栓Ｂを容器口筒部Ａに打栓する。
打栓前に、キャップＣは中栓Ｂに螺合締着されるが、中栓Ｂの外筒６外周と筒状カバー３２内周との間に間隙があり、キャップＣは連結片３７を傷めることなく容易に螺合される。
【００１８】
そして、筒状カバー３２は、環状板３６、連結片３７により肩壁８上に保持され、中栓Ｂの外筒６外周に遊嵌される。
また、密封リング３３の外周は、注出筒４の内周に嵌合して注出筒４を密封する。
【００１９】
打栓時には、容器口筒部Ａの係合突条１によって、中栓Ｂの外筒６は拡径されて、外筒６外周下方部が筒状カバー３２内周に圧接し、筒状カバー３２と打栓された中栓Ｂ外筒６との間に嵌合締着状態が維持される。
【００２０】
注出容器の使用にあたって、キャップＣを廻動すると、キャップＣの側筒壁３１は上昇するが、筒状カバー３２は、拡径された外筒によって上昇が妨げられる。
【００２１】
そのために、薄肉の連結片３７が切断され、側筒壁３１と筒状カバー３２は分離し、側筒壁３１は、廻動によって自由に上下動されキャップを開閉することができる。
筒状カバー３２は、中栓Ｂ外筒６に嵌着され、同時に、上端の環状板３６が肩壁８に支持され、下端は、フランジ１１上に位置し、中栓Ｂ外筒６を被うことになる。
【００２２】
容器の使用時には、キャップＣは開閉されるが、中栓Ｂの外筒６は、筒状カバー３２によって被われて、フランジ１１は、筒状カバー３２と口部１の保持突条２との間に挟持されるようになり、外部から摘み１５を引き出すことができないので、誤って外筒６を開くことはない。
また、何らかの道具を使って摘み１５を引き出し、摘み１５を引っ張っても外筒６は筒状カバー３２に押さえられるので、外方に引っ張られることなく、薄肉の連結部１２は引き裂かれることはない。
【００２３】
使用後の容器の廃棄にあたって、容器を保持し、筒状カバー３２を中栓Ｂから引き上げると、筒状カバー３２が取り外されて外筒６を露出させることができる。
【００２４】
次いで、外筒６の摘み１５をもって斜め上方に引っ張り上げると連結部１２を切り裂き、さらに、周方向に引っ張っていくと、切断溝１４を切り裂くことができ、中栓Ｂは、内筒７が容器口筒部Ａ内周に嵌合されているだけであるので、中栓Ｂを容器口筒部Ａから簡単に取り外すことができる。
【００２５】
摘み１５を斜め上方に引っ張り上げたときには、外筒６下端がめくり上げられるので、摘み１５近辺における外筒６の係合突条９を容器口筒部Ａの係合突条１から引き離し、それにつづく外筒６の係合突条９の引き離しを軽くし、切断溝１４の切り裂きを容易にする。
かくして中栓Ｂを容器口筒部Ａより簡単に取り外して、容器と中栓Ｂ、キャップＣを別個に廃棄することができる。
【００２６】
店頭販売時に、キャップＣを取り外しても筒状カバー３２はそのまま残るので、前述のように、摘み１５を引き出すことは困難であり、たとえ引き出すことができても薄肉の連結部１２を切り裂くことができないので、不正行為は、完全に防止することができる。
また、キャップＣを不正に開蓋したときには、キャップＣと筒状カバー３２との連結片３７が切断されるので、不正な開蓋を容易に判別することができる。
【００２７】
前記実施形態では、中栓の外筒にフランジを設け、摘みを形成するようにしたが、フランジを設けないで、外筒の下端に摘みを形成してもよい。
その場合には、筒状カバーの下端に内方に膨出する膨出環を設け、外筒下端を被い支持するようにしてもよい。
【００２８】
次に、第２実施形態について図面を参照して説明する。
第２実施形態は、前記第１実施形態において、中栓の構成を変更し、それに応じてキャップの構成を変更したものである。
以下前記第１実施形態と同一の構成部分については、図面に添字ａを付けて示し、変更点を中心に主要な点について説明する。
【００２９】
図６において、Ａａは容器口筒部、Ｂａは中栓、Ｃａはキャップである。
いずれも合成樹脂で成形され、中栓ＢａとキャップＣａは、容器と素材樹脂を異にしている。
容器口筒部Ａａは、係合突条１ａと保持突条２ａとを備えている。
【００３０】
図６，７に示すように、中栓Ｂａは、容器口筒部Ａａに嵌着する嵌着筒３ａと、注出筒４ａを連設した螺着筒５ａとを具えている。
嵌着筒３ａは、外筒６ａと内筒７ａおよび肩壁８ａとからなり、螺着筒５ａは、内筒７ａから上方に延びるよう連設されている。
外筒６ａの下端部内周には、容器口筒部Ａａ外周に設けられた係合突条１ａに係合する係合突条９ａが突設されており、内筒７ａの外周面上方には、締め代を形成する膨出部１０ａが設けられている。
【００３１】
外筒６ａには、図７，８に示すように、周方向に一定の間隔を置いて下端部から肩壁８ａの下面に達するスリット４０が穿設されており、下端部近くの外周には係合溝４１が削設されている。
【００３２】
前記スリット４０に代え、図９に示すような薄肉４２を残した切断溝４３としてもよい。
また、スリット４０の下端部に薄肉の切断可能な連結部を形成するようにしてもよい。
【００３３】
螺着筒５ａ、注出筒４ａ、注出筒４ａ下端の隔壁２２ａ等に係る構成は、前記第１実施形態のそれと同一であるので、添字ａをつけて図示するが説明を省略する。
【００３４】
図１０に示すように、キャップＣａは、頂壁３０ａと側筒壁３１ａ、側筒壁３１ａの下方に設けられた筒状カバー３２ａとを具えており、側筒壁３１ａの下端には、フランジ３５ａが設けられている。
筒状カバー３２ａの上端には、内方に突出する薄肉の環状板３６ａが設けられており、フランジ３５ａの周縁と、複数の薄肉の連結片３７ａによって連結されている。
筒状カバー３２ａの下端には、キャップ嵌着時に外筒６ａの係合溝４１に嵌合する膨出部４４が設けられている。
【００３５】
次に本実施形態の液注出容器の使用態様と作用効果について説明する。
内容液の詰め込みにあたっては、内容液を容器に充填し、次いでキャップＣａを被嵌した中栓Ｂａを容器口筒部ＡＩに打栓する。
打栓前に、キャップＣａは中栓Ｂａに螺合締着されるが、前記第１実施形態と同様に、中栓Ｂａの外筒６ａ外周と筒状カバー３２ａ内周との間に間隙があり、下端の膨出部４４は外筒６ａ外周と遊合している程度であるので、キャップＣａは連結片３７ａを傷めることなく容易に螺合され、筒状カバー３２ａ内周は、中栓Ｂａ外筒６ａ外周に遊嵌される。
【００３６】
そして、筒状カバー３２ａの下端近くの膨出部４４は、係合溝４１に対応して位置する。
また、頂壁３０ａに垂設された密封リング３３ａの外周は、注出筒４ａの内周に嵌合して注出筒４ａを密封する。
【００３７】
打栓時には、容器口筒部Ａａの係合突条１ａによって、中栓Ｂａの外筒６ａは拡径されて、外筒６ａ外周が傾斜して、外周６ａ下方部が筒状カバー３２ａ内周に圧接し、筒状カバー３２ａの膨出部４４が外筒６ａの係合溝４１に係合されることによって、筒状カバー３２ａと打栓された中栓Ｂａ外筒６ａとの間に嵌合状態が維持される。
【００３８】
注出容器の使用開始にあたって、キャップＣａを廻動すると、キャップＣａの側筒壁３１ａは上昇するが、筒状カバー３２ａは、その下端の膨出部４４が中栓Ｂａ外筒６ａの係合溝４１に係合しているので、上昇が妨げられる。
そのために、薄肉の連結片３７ａが切断され、側筒壁３１ａと筒状カバー３２ａは分離し、側筒壁３１ａは、廻動によって自由に上下動させ、キャップＣａを開閉することができる。
筒状カバー３２ａは、中栓Ｂａに嵌着され、同時に、上端の環状板３６ａが肩壁８ａに接合し、膨出部４４が中栓Ｂａ外筒６ａの係合溝４１に係合することによって、上下動が阻止されて位置決めされ、中栓Ｂａ外筒６ａを被うことになる。
【００３９】
使用後の容器の廃棄にあたって、容器を保持し、外筒６ａから筒状カバー３２ａを引き上げると、外筒６ａに対する締着が解かれることによって、スリット４０によって分割された外筒６ａのそれぞれの下方部が広がり、容器口筒部Ａａと外筒６ａとの締着が解かれる。
かくして中栓Ｂａを容器口筒部Ａａから簡単に取り外すことができ、容器と中栓Ｂａ、キャップＣａを別個に廃棄することができる。
【００４０】
また、外筒６ａに薄肉４２を残した切断溝４３を設けた場合、或いはスリット４０の一部に連結部を形成している場合には、打栓時、または筒状カバー３２ａの引き上げ時に切断溝４３または連結片部が切断され、上記と同様の作用効果がもたらされる。
【００４１】
また、店頭販売時に、不正行為を防止し、キャップＣａを不正に開蓋したときには容易に判別できることは第１実施形態と同一である。
【００４２】
上記第２実施形態で外筒に係合溝を設け、キャップの筒状カバーの下方部に前記係合溝に係合する膨出部を設けているが、係合溝を設けないで筒状カバーの下端部に膨出部を設け、外筒下端に係合するようにしてもよい。
【００４３】
前記各実施形態においては、中栓に螺着筒を設け、キャップの側筒壁内周に螺着筒に螺合するネジを設け、キャップを螺合するようにしたが、螺着筒を下端部に膨出突条を形成した円筒状の取着筒とし、キャップの側筒壁下端を前記膨出突条に一定の締め代をもって嵌合するようにした被せ蓋としてもよい（それらは周知の技術であるので図示しない）。
【００４４】
その場合、打栓時には、筒状カバーが中栓外筒に嵌着され、使用開始時に被せ蓋を廻動させると連結片が切断されて、筒状カバーは中栓の外筒に嵌着されたまま残って、外筒を保護することになり、使用中には被せ蓋によって中栓注出筒を開閉することができる。
【００４５】
【発明の効果】
本発明は、上記のように構成されているから、次の効果を奏する。
中栓に被嵌される側筒壁と中栓嵌着筒の外筒に嵌合される筒状カバーとを備えたキャップによって、中栓嵌着筒の外筒を被っているので、容器の使用中に中栓の外筒の摘みに触れることはなく、誤って外筒のスリットを切り裂き中栓の嵌着を弛めることはない。
廃棄時には筒状カバーを簡単に取り外すことができる。
【００４６】
中栓の外筒に肩壁下面から下端に達するスリットが設けられているので、摘みをもって斜め上方に引っ張ったときに、摘みの外筒内周の係合突条が口筒部外周の係合突条から離脱し、外筒の切り裂きが容易にできるようになった。
また、肩壁上面にはスリットや切込みが設けられていないので、デザイン上の効果がよくなった。
【００４７】
また、複数のスリットを設け、外筒を分割するようにしたときには、筒状カバーを取り外すだけで分割された外筒の下方部が広がり、外筒は容器口筒部から自然に離脱するので、中栓を簡単に取り外すことができる。
【００４８】
店頭販売時に、キャップを取り外しても、摘みを引き出すことは困難であり、たとえ引き出すことができても薄肉の連結部を切り裂くことができないので、不正行為を完全に防止することができる。
また、キャップを不正に開蓋したときには、連結片が切断されるので、不正な開蓋を容易に判別することができる。
【図面の簡単な説明】
【図１】  本発明液注出容器の第１実施形態の一部断面正面図である。
【図２】  中栓の説明図で、（ａ）は断面正面図、（ｂ）は平面図である。
【図３】  中栓の底面図である。
【図４】  中栓の側面図である。
【図５】    キャップの説明図で、（ａ）は一部断面正面図、（ｂ）は底面図である。
【図６】    第２実施形態の液注出容器の一部断面正面図である。
【図７】    中栓の説明図で、（ａ）は正面図、（ｂ）は断面正面図である。
【図８】  中栓の底面図である。
【図９】    別実施例の中栓外筒の要部説明図で、（ａ）は断面図、（ｂ）は（ａ）の矢印の方向から見た切断溝部分の拡大底面図である。
【図１０】    キャップの説明図で、（ａ）は一部断面正面図、（ｂ）は底面図である。
【符号の説明】
Ａ，Ａａ        容器口筒部
Ｂ，Ｂａ        中栓
Ｃ，Ｃａ        キャップ
１，１ａ        係合突条
３，３ａ        嵌着筒
６，６ａ        外筒
７，７ａ        内筒
８，８ａ        肩壁
９，９ａ        係合突条
１０，１０ａ    膨出部
１３            スリット
１４            切断溝
１５            摘み
３０，３０ａ    頂壁
３１，３１ａ    側筒壁
３２，３２ａ    筒状カバー
３５，３５ａ    フランジ
３６，３６ａ    環状板
３７，３７ａ    連結片
４０            スリット
４１            係合溝
４３            切断溝
４４            膨出部
【図１】
0003827893.tif 000002
【図２】
0003827893.tif 000003
【図３】
0003827893.tif 000004
【図４】
0003827893.tif 000005
【図５】
0003827893.tif 000006
【図６】
0003827893.tif 000007
【図７】
0003827893.tif 000008
【図８】
0003827893.tif 000009
【図９】
0003827893.tif 000010
【図１０】
0003827893.tif 000011